(57)【要約】【課題】電動窓の提供。【解決手段】本考案は一種の電導窓に関わるものである。主に複数の移動窓体と制御機構を有する。各窓体は自在にモータと結合する。該制御機構は主制御ボード、複数の駆動モジュールボード、制御スイッチ組及びスイチング式電源供給器を設ける。該複数の駆動モジュールボードの数はモータ数に合わせて設け、モータをそれぞれ制御する。これらの構成要素を組み合わせることにより、最適な制御と保護効果を提供し、管理と保守に便利するほか、エネルギーの効果的管理、電圧の安定出力、銅の使用料の大幅低減、環境保護に合致し、材料の軽減、体積が小さく、重量が軽い、据えつけ簡単、及び高い安全性を有する。【選択図】図２
0003130464.tif 000002
【実用新案登録請求の範囲】
【請求項１】
複数の移動窓体を有し、各窓体は自在にモータに結合した、
制御機構を設け、該制御機構に主制御ボード、複数の駆動モジュールボード、制御スイッチ組及びスイチング式電源供給器を設ける、該主制御ボードは複数の駆動モジュールボード、制御スイッチ組及びスイチング式電源供給器と電気接続し、該複数の駆動モジュールボードの数はモータの数に合わせて設け、各モータの制御に備えることを特徴とする電動窓。
【請求項２】
該主制御ボードはマイクロプロセッサーを使用することを特徴とする請求項１記載の電動窓。
【請求項３】
該主制御ボードは各駆動モジュールボードに電流過負荷微調節器を設けることを特徴とする請求項１記載の電動窓。
【請求項４】
当該駆動モジュールボードはモータ正反転制御回路、電流検出回路及び過電流比較回路を含まれる、該モータ正反転制御回路の一端は主制御ボードと電気接続し、他端は電流検出回路と過電流比較回路と電気接続することを特徴とする請求項１又は請求項３記載の電動窓。
【請求項５】
該マイクロプロセッサーはさらに記憶装置を設けることを特徴とする請求項２記載の電動窓。
【請求項６】
該マイクロプロセッサーはさらに煙センサーを設けることを特徴とする請求項２記載の電動窓。
【請求項７】
該マイクロプロセッサーはさらに雨センサーを設けることを特徴とする請求項２記載の電動窓。
【請求項８】
該マイクロプロセッサーはさらに室温過熱調節器を設けることを特徴とする請求項２記載の電動窓。
【請求項９】
該マイクロプロセッサーはさらに振動子を設けることを特徴とする請求項２記載の電動窓。
【請求項１０】
該マイクロプロセッサーはさらに非常出力ポートを設けることを特徴とする請求項２記載の電動窓。
【請求項１１】
該マイクロプロセッサーはさらに、インターネット呼び出し制御グループインタフェースを設け、該インターネット呼び出し制御グループインタフェースは２方向ブスバーに接続し、インターネット情報交換に備えることを特徴とする請求項２記載の電動窓。
【請求項１２】
該制御スイッチ組は有線方式制御スイッチ組を使用することを特徴とする請求項１記載の電動窓。
【請求項１３】
該制御スイッチ組は無線方式制御スイッチ組を使用することを特徴とする請求項１記載の電動窓。
【考案の詳細な説明】
【技術分野】
【０００１】
本考案は一種の電動窓、特に一種の複数の移動窓体をモータに結合した上、制御機構に組み合わせる構造により、最適な制御と保護効果を提供し、管理と保守に便利するほか、エネルギーの効果的管理、電圧の安定出力、銅の使用料の大幅低減、環境保護に合致し、材料の軽減、体積が小さく、重量が軽い、据えつけ簡単、及び高い安全性を有する。各種電動窓又は類似構造に適する。
【背景技術】
【０００２】
公知技術の電動窓は主に１枚の電気駆動ボードにより複数のモータを制御するほか、システム制御に大電流を使用する。その問題点として、電気駆動ボードが故障した場合、システム全体の正常稼働ができない。このほか、電流も負荷に合わせて効率的な調節ができないため、エネルギーの効率的な運用ができなく、エネルギー効率が低下する。また、電気駆動ボードはモータごとの過電流保護装置が設けられていないため、信号がいったん触発された後、所定の時間を経過しなければ、停止及び次回の触発制御による始動、停止機能、又は定位置に至らないと動作できない。さらに、モータに電流自己検知システムがないため、窓は動作のとき、異物又は人体を挟んだときもその運転を中止できない。該電源の部分は従来式のコイル式変圧器を使用するため、提供する電圧が異なると、電気供給不安定となり、負荷に合わせて調節することができない。また、大量な銅線を使用するため、環境順応度が低い、体積が大きい、重量が重い、据えつけ不便、施工に安全性を欠く。操作パネルは従来式のスイッチ制御方式を使用し、出入力信号の多重判断機能を持たない。赤外線（ＩＲ）制御機能がないため、現場の操作ボックスしか制御できないなど、利用者の使用ニーズ答えられない。
【考案の開示】
【考案が解決しようとする課題】
【０００３】
複数の移動窓体を自在にモータに結合し、制御機構と組み合わせる構造により、主制御ボードに複数の駆動モジュールボードと結合し、各モータの正反転制御を行い、対応する窓体の開閉を制御することにより、最適な制御効果を有し、全体の実用性と利便性の向上を図る、一種の電動窓を提供することを本考案の主な目的とする。
【０００４】
該主制御ボードはマイクロプロセッサーよりすべての信号処理を制御するため、モータの過負荷（過電流）のとき、該駆動モジュールボードの電流検出回路と過電流比較回路を介して、モータへの電気供給を停止し、モータ又は関連の制御素子を保護し、正常稼働を維持できるほか、窓移動のとき、異物又は人体が挟まれたとき、ただちに停止し、全体の安全性向上を図る、一種の電動窓を提供することを本考案の次の目的とする。
【０００５】
該複数の駆動モジュールボードは独立に設けることにより、各駆動モジュールボードはプラグアンドプレイの利便性を有し、現場の使用モータ数に合わせて、駆動モジュールボードを設けることができる。同じ主制御ボードに異なる窓タイプ（観音開き窓、チルト開き窓、開き窓、引き違い窓など）と柔軟に組み合わせることにより、全体の実用性と利便性の向上を図る、一種の電動窓を提供することを本考案もう一つの目的とする。
【０００６】
各駆動モジュールボードは集中設置のため、現場の制御モータ電気回路の管理と保守がより便利に行える、全体の利便性向上を図る、一種の電動窓を提供することを本考案また一つの目的とする。
【０００７】
主制御ボードにおいて、各駆動モジュールボードに電流過負荷敏感調節器を設け、現場の窓負荷を調節しエネルギー（負荷電流）の効率的管理を図る、一種の電動窓を提供することを本考案さらに一つの目的とする。
【０００８】
スイチング式電源供給器の使用により、安定な電圧を出力し、銅材料使用を大幅減少し、環境保護と材料の軽減、体積が小さく、重量が軽い、据えつけ簡単、安全性の高い、全体の実用性と利便性と安全性の向上を図る、一種の電動窓を提供することを本考案の目的とする。
【０００９】
制御スイッチ組（該制御スイッチ組は有線方式制御スイッチ組又は無線制御スイッチ組を使用）は、マイクロプロセッサーと電気接続し、三つのボタンにより、開、中止、閉動作及びすべての主制御ボード信号の識別処理を行った後、コード化して主制御ボードに伝送し、モータ（窓開、閉状態）制御に備える。さらに、従来式パネルの電気回路操作機能（現場の操作ボックスで制御を行う）のほか、赤外線制御モジュールと組み合わせることにより、制御をより便利と親和性をもたらす、全体の実用性と利便性の向上を図る、一種の電動窓を提供することを本考案の目的とする。
【００１０】
前記の目的を達成するため、本考案の電導窓は、主に複数の移動窓体と制御機構を有する。各窓体は自在にモータと結合する。該制御機構は主制御ボード、複数の駆動モジュールボード、制御スイッチ組及びスイチング式電源供給器を設ける。該複数の駆動モジュールボードの数はモータ数に合わせて設け、モータをそれぞれ制御する。これらの構成要素を組み合わせることにより、最適な制御と保護効果を提供し、管理と保守に便利するほか、エネルギーの効果的管理、電圧の安定出力、銅の使用料の大幅低減、環境保護に合致し、材料の軽減、体積が小さく、重量が軽い、据えつけ簡単、及び高い安全性を有するほか、全体の実用性と利便性を向上できる。
【００１１】
本考案は前述及びその多目的と長所により、以下に説明する選択実施例の詳細説明とその図式から、より深く理解することができる。本考案と一部の部品又は部品配置が異なっても、選択された実施例について、本請求書に詳細説明と共に、図式を添付しその構造を合わせて説明する。
【課題を解決するための手段】
【００１２】
請求項１の考案は、複数の移動窓体を有し、各窓体は自在にモータに結合した一種の電動窓において、
制御機構を設け、該制御機構に主制御ボード、複数の駆動モジュールボード、制御スイッチ組及びスイチング式電源供給器を設ける、該主制御ボードは複数の駆動モジュールボード、制御スイッチ組及びスイチング式電源供給器と電気接続し、該複数の駆動モジュールボードの数はモータの数に合わせて設け、各モータの制御に備えることを特徴とする電動窓としている。
請求項２の考案は、該主制御ボードはマイクロプロセッサーを使用することを特徴とする請求項１記載の電動窓としている。
請求項３の考案は、該主制御ボードは各駆動モジュールボードに電流過負荷敏感調節器を設けることを特徴とする請求項１記載の電動窓としている。
請求項４の考案は、当該駆動モジュールボードはモータ正反転制御回路、電流検出回路及び過電流比較回路を含まれる、該モータ正反転制御回路の一端は主制御ボードと電気接続し、他端は電流検出回路と過電流比較回路と電気接続することを特徴とする請求項１又は請求項３記載の電動窓としている。
請求項５の考案は、該マイクロプロセッサーはさらに記憶装置を設けることを特徴とする請求項２記載の電動窓としている。
請求項６の考案は、該マイクロプロセッサーはさらに煙センサーを設けることを特徴とする請求項２記載の電動窓としている。
請求項７の考案は、該マイクロプロセッサーはさらに雨センサーを設けることを特徴とする請求項２記載の電動窓としている。
請求項８の考案は、該マイクロプロセッサーはさらに室温過熱調節器を設けることを特徴とする請求項２記載の電動窓としている。
請求項９の考案は、該マイクロプロセッサーはさらに振動子を設けることを特徴とする請求項２記載の電動窓としている。
請求項１０の考案は、該マイクロプロセッサーはさらに非常出力ポートを設けることを特徴とする請求項２記載の電動窓としている。
請求項１１の考案は、該マイクロプロセッサーはさらに、インターネット呼び出し制御グループインタフェースを設け、該インターネット呼び出し制御グループインタフェースは２方向ブスバーに接続し、インターネット情報交換に備えることを特徴とする請求項２記載の電動窓としている。
請求項１２の考案は、該制御スイッチ組は有線方式制御スイッチ組を使用することを特徴とする請求項１記載の電動窓としている。
請求項１３の考案は、該制御スイッチ組は無線方式制御スイッチ組を使用することを特徴とする請求項１記載の電動窓としている。
【考案の効果】
【００１３】
本考案は電動窓、これらの構成要素を組み合わせることにより、最適な制御と保護効果を提供し、管理と保守に便利するほか、エネルギーの効果的管理、電圧の安定出力、銅の使用料の大幅低減、環境保護に合致し、材料の軽減、体積が小さく、重量が軽い、据えつけ簡単、及び高い安全性を有する。
【考案を実施するための最良の形態】
【００１４】
図１〜２は本考案の電動窓を示す、該電動窓は主に以下の構成要素より構成する。
【００１５】
複数の移動窓体１０を設け、各窓体１０は自在にモータ１１に結合する。
【００１６】
制御機構２０を設け、該制御機構２０に主制御ボード２１、複数の駆動モジュールボード２２、制御スイッチ組２３、及びスイチング式電源供給器２４を設ける。該主制御ボード２１は複数の駆動モジュールボード２２、制御スイッチ組２３（該制御スイッチ組２３は有線方式制御スイッチ組又は無線式制御スイッチ組を使用）、及びスイチング式電源供給器２４と電気接続する。該複数の駆動モジュールボード２２の数はモータ１１の数に合わせて設け、それぞれのモータ１１を制御する。そのうち、該主制御ボード２１はマイクロプロセッサーを使用し、該主制御ボード２１は各駆動モジュールボード２２に電流適切負荷敏感調節器２２４を設ける。該駆動モジュールボード２２はモータ正反転制御回路２２１、電流検出回路２２２、及び過電流比較回路２２３を含まれる。該モータ正反転制御回路２２１の一端は主制御ボード２１と電気接続し、該モータ正反転制御回路２２１の他端は電流検出回路２２２と過電流比較回路２２３と順番に電気接続する。
【００１７】
本考案の電動窓に備えるマイクロプロセッサーはさらに、記憶装置２１１、煙センサー２１２、雨センサー２１３、室温過熱調節器２１４、振動子２１５、非常出力ポート２１６、及びインターネット呼び出し制御グループインタフェース２１７を組み入れても良い。該インターネット呼び出し制御グループインタフェース２１７に２方向ブスバー２１８を設け、インターネット情報交換に備える。
【００１８】
前記の構成要素により構成する本考案の電動窓は、図１〜２に示す通り、複数の移動窓体１０を自在にモータ１１に結合し、制御機構２０と組み合わせる特徴を有する。主制御ボード２１により、複数の駆動モジュールボード２２を結合し、各モータ１１の正反転を制御することにより、対応した窓体１０の開閉制御を行う。該主制御ボード２１はマイクロプロセッサーにより、すべての信号処理を行う。よって、モータ１１過負荷（過電流）のとき、該駆動モジュールボード２２の電流検出回路２２２及び過電流比較回路２２３を介して、過負荷のモータ１１の電気供給をただちに中断し、モータ１１又は関連な制御素子を保護し、全体の正常稼働を図る。窓移動のとき、異物又は人体が挟まれたとき、ただちに稼働を停止し、全体の安全性を向上する。さらに、該複数の駆動モジュールボード２２はそれぞれ独立に設けるため、各駆動モジュールボード２２にプラグアンドプレイの利便性を有し、現場の必要モータ１１の数に合わせて、駆動モジュールボード２２を設ける。さらに、同じ主制御ボード２１において、異なる窓タイプ（観音開き窓、チルト開き窓、開き窓、引き違い窓など）と組み合わせることができるため、柔軟に組み合わせ運用できる。また、各駆動モジュールボード２２は集中設置のため、現場のモータ制御回路の管理と保守は、より簡単に行える。主制御ボード２１は各駆動モジュールボード２２に電流適切負荷敏感調節器２２４を設け、現場の窓負荷により、エネルギー（負荷電流）の効率的管理ができる。さらに、スイチング式電源供給器２４を使用し、安定な電圧を出力し、銅の使用量を大幅減少し、環境保護と材料の軽減、全体の体積が小さく、重量が軽い、取付けが容易、高安全性の特徴を有する。制御スイッチ組２３（該制御スイッチ組２３は有線方式制御スイッチ組又は無線式制御スイッチ組を使用）はマイクロプロセッサーと電気接続することにより、三つのボタンを介して、開、停止、閉の動作及び主制御ボード２１信号の識別処理を行い、コード化して主制御ボード２１に伝送し、モータ１１（窓の開、閉状態）制御を行う。さらに、従来式パネルの電気回路操作機能（現場に赴き操作ボックスにて制御を行う）のほか、赤外線制御モジュールと組み合わせて、制御をより便利、より親和性を図ることにより、本考案に最適な制御と保護効果を提供し、管理と保守に便利するほか、エネルギーの効果的管理、電圧の安定出力、銅の使用料の大幅低減、環境保護に合致し、材料の軽減、体積が小さく、重量が軽い、据えつけ簡単、及び高い安全性を有する。
【図面の簡単な説明】
【００１９】
【図１】本考案一実施例のブロック概略図である。
【図２】本考案一実施例のブロック詳細図である。
【符号の説明】
【００２０】
１０  窓体
１１  モータ
２０  制御機構
２１  主制御ボード
２１１  記憶装置
２１２  煙センサー
２１３  雨センサー
２１４  室温過熱調節器
２１５  振動子
２１６  非常出力制御ポート
２１７  インターネット呼出制御グループインタフェース
２１８  ２方向ブスバー
２２  駆動モジュールボード
２２１  モータ正反転制御回路
２２２  電流検出回路
２２３  過電流比較回路
２２４  電流過負荷微調節器
２３  制御スイッチ組
２４  スイチング式電源供給器
【図１】
0003130464.tif 000003
【図２】
0003130464.tif 000004